(57)【要約】【課題】印刷対象とする画像の閲覧や選択などの作業において、ユーザの利便性を向上する画像表示装置を提供する。【解決手段】画像表示装置は、複数の画像ファイルを入力し、各画像について印刷対象として相応しい推奨画像であるか否かを判別する。推奨画像と判定された画像には印刷対象の識別子を設定する。こうして複数の画像ファイルの中から自動的に印刷対象を設定し、印刷対象であることが分かるように画像表示を行なう。画像表示装置は、印刷対象の画像を確認できる複数種類の表示態様を備えており、画像表示の際に利用する。【選択図】図３
2007164249.tif 000002
【特許請求の範囲】
【請求項１】
画像を表示可能な表示部を有する画像表示装置であって、
複数の画像データを入力する入力手段と、
前記入力した画像データ毎に、写真画像として予め規定された条件で撮影された画像からの逸脱の程度を評価し、当該評価に基づいて、当該画像が印刷対象として相応しい推奨画像であるか否かを判別する推奨画像判別手段と、
前記判別の結果により推奨画像とされた画像を印刷対象に指定し、当該画像に対して印刷対象であることを示す識別子を設定する印刷設定手段と、
前記印刷対象に指定された画像を確認するための確認モードであって、少なくとも、前記識別子の有無に基づき前記表示部へ画像を表示して確認する確認モードを含む複数種類の確認モードを備え、当該確認モードに応じた所定の態様で、前記表示部における画像表示を行なう画像確認表示手段と
を備える画像表示装置。
【請求項２】
請求項１に記載の画像表示装置であって、
前記画像確認表示手段は、前記複数種類の確認モードの一つとして、前記識別子を有する画像のみを前記表示部に表示するモードを備える
画像表示装置。
【請求項３】
請求項２に記載の画像表示装置であって、
前記入力する複数の画像データは、撮影日時の時系列順に並んでおり、
前記画像確認表示手段は、前記時系列順で、前記識別子を有する一の画像から該識別子を有する次の画像までの間に、所定画像が存在する場合には、当該所定画像を飛ばして表示している旨を、該識別子を有する画像と共に表示する態様で、画像表示を行なう
画像表示装置。
【請求項４】
請求項２に記載の画像表示装置であって、
前記複数の画像データは、所定の基準に従った順序で整列されており、
前記画像確認表示手段は、前記整列順序における順方向と逆方向のいずれか一方向へ順次画像を表示する際には、前記識別子を有する画像のみの画像表示を行ない、他方向へ順次画像を表示する際には、該識別子とは無関係に該整列順序に従って全画像の画像表示を行なう
画像表示装置。
【請求項５】
請求項２に記載の画像表示装置であって、
前記画像確認表示手段は、少なくとも２以上の操作ボタンを有し、当該一の操作ボタンの操作に前記識別子を有する画像のみを表示する第１の表示態様を割り当て、当該他の操作ボタンの操作に該識別子とは無関係な全画像を表示する第２の表示態様を割り当てる
画像表示装置。
【請求項６】
請求項２に記載の画像表示装置であって、
前記画像確認表示手段は、一の操作ボタンを有し、当該操作ボタンを長押しする操作に前記識別子を有する画像のみを表示する第１の表示態様を割り当て、当該操作ボタンを押下する通常の操作に該識別子とは無関係な全画像を表示する第２の表示態様を割り当てる
画像表示装置。
【請求項７】
請求項１ないし６のいずれかに記載の画像表示装置であって、
前記画像確認表示手段は、前記複数種類の確認モードから一の確認モードを選択する手段を備える画像表示装置。
【請求項８】
請求項１に記載の画像表示装置であって、
前記画像確認表示手段は、前記複数種類の確認モードの一つとして、前記識別子の無い画像のみを前記表示部に表示するモードを備える
画像表示装置。
【請求項９】
請求項１ないし８のいずれかに記載の画像表示装置であって、
前記表示部は、２以上の所定枚数の画像を同時に表示可能であり、
前記画像確認表示手段は、前記所定枚数の画像ごとに表示画面を切り換えて、前記複数の画像の表示を行なう
画像表示装置。
【請求項１０】
請求項９に記載の画像表示装置であって、
前記画像確認表示手段は、
前記表示画面上に表示された所定枚数の画像において、印刷に関する設定を行なうために一の画像を特定するカーソルを表示し、
前記一の表示画面から次の表示画面に切り換わった時に、当該次の表示画面に表示されている画像の中の前記識別子を有する画像にカーソルを移動する
画像表示装置。
【請求項１１】
請求項１０に記載の画像表示装置であって、
前記画像確認表示手段は、前記次の表示画面に表示されている画像の中に前記識別子を有する画像が存在しない場合には、予め設定した所定位置にカーソルを移動する
画像表示装置。
【請求項１２】
請求項１０に記載の画像表示装置であって、
前記画像確認表示手段は、前記次の表示画面として表示すべき所定枚数の画像の中に、前記識別子を有する画像が存在しない場合には、当該所定枚数の画像を表示することなく、該識別子を有する画像が存在する表示画面を当該次の表示画像として表示する
画像表示装置。
【請求項１３】
請求項１ないし１２のいずれかに記載の画像表示装置であって、
前記推奨画像判別手段は、前記入力した画像データ間の類似の程度を評価し、当該評価に基づいて前記複数の画像データをグループ化し、当該グループ毎に前記推奨画像の判別を行なう手段であり、
前記画像確認表示手段は、前記グループ化された一の類似グループに属する画像群を、一の表示画面上に表示する
画像表示装置。
【請求項１４】
請求項１３に記載の画像表示装置であって、
前記画像確認表示手段は、前記類似グループに属する画像の枚数に応じて画像の表示サイズを変更し、該類似グループに属する画像群を一の表示画面上に表示する
画像表示装置。
【請求項１５】
請求項９ないし１２のいずれかに記載の画像表示装置であって、
前記推奨画像判別手段は、前記入力した画像データ間の類似の程度を評価し、当該評価に基づいて前記複数の画像データをグループ化し、当該グループ毎に前記推奨画像の判別を行なう手段であり、
前記画像確認表示手段は、前記所定枚数の画像ごとに表示画面に表示する場合であって、前記グループ化された一の類似グループに属する画像群が、一の表示画面と次の表示画面とにまたがって表示されるときには、当該一の類似グループに属する画像群を該次の表示画面にまとめて表示し、該一の表示画面には該所定枚数よりも少ない枚数の画像を表示する
画像表示装置。
【請求項１６】
請求項１ないし１５のいずれかに記載の画像表示装置を備え、前記表示部における画像表示で確認した前記識別子を有する画像の印刷を実行する印刷装置。
【請求項１７】
画像を表示可能な表示部を有する画像表示装置の画像表示方法であって、
複数の画像データを入力し、
前記入力した画像データ毎に、写真画像として予め規定された条件で撮影された画像からの逸脱の程度を評価し、当該評価に基づいて、当該画像が印刷対象として相応しい推奨画像であるか否かを判別し、
前記判別の結果により推奨画像とされた画像を印刷対象に指定し、当該画像に対して印刷対象であることを示す識別子を設定し、
前記印刷対象に指定された画像を確認するための確認モードであって、少なくとも、前記識別子の有無に基づき前記表示部へ画像を表示して確認する確認モードを含む複数種類の確認モードを備え、当該確認モードに応じた所定の態様で、前記表示部における画像表示を行なう
画像表示方法。
【発明の詳細な説明】
【技術分野】
【０００１】
本発明は、画像を表示可能な表示部を有する画像表示装置および画像表示装置を備えた印刷装置に関する。
【背景技術】
【０００２】
従来から、パーソナルコンピュータを介さず、直接画像データを印刷できる印刷装置がある。かかる印刷装置は画像を表示する液晶ディスプレイを備えており、メモリカードやデジタルスチルカメラから入力した画像を、液晶ディスプレイで閲覧することができる。
【０００３】
こうした印刷装置の有する液晶ディスプレイは小型のものが多く、表示された画像からは手ブレやピントのボヤケなどの有無を判断することが難しい。こうした問題に対し、例えば、下記特許文献１では、画像の手ブレやピントのボヤケの有無を判断する画像印刷装置が提案され、印刷対象とする画像の選択を容易とする技術が開示されている。
【０００４】
【特許文献１】特開２００２−１８７３２９号公報
【０００５】
しかしながら、こうした画像の手ブレなどを判断する技術は、ユーザが印刷対象を選択する際の情報としては有効であるが、ある画像を実際に印刷対象とするか否かは、画像を一枚一枚見て、ユーザが手作業により設定する必要があり、煩雑な作業であった。
【０００６】
さらには、近年の記録媒体の大容量化により、メモリカード等に記録できる画像枚数は増大しており、こうしたメモリカード内の画像を一度に取り扱う機会も増えつつある。かかる大量の画像を一枚一枚確認して印刷対象を選択、設定するのは、時間がかかる作業であり、改善が求められていた。
【発明の開示】
【発明が解決しようとする課題】
【０００７】
このような問題を考慮し、本発明が解決しようとする課題は、印刷対象とする画像の閲覧や選択などの作業において、ユーザの利便性を向上することにある。
【課題を解決するための手段】
【０００８】
上記課題を解決するため、本発明の画像表示装置を次のように構成した。すなわち、
画像を表示可能な表示部を有する画像表示装置であって、
複数の画像データを入力する入力手段と、
前記入力した画像データ毎に、写真画像として予め規定された条件で撮影された画像からの逸脱の程度を評価し、当該評価に基づいて、当該画像が印刷対象として相応しい推奨画像であるか否かを判別する推奨画像判別手段と、
前記判別の結果により推奨画像とされた画像を印刷対象に指定し、当該画像に対して印刷対象であることを示す識別子を設定する印刷設定手段と、
前記印刷対象に指定された画像を確認するための確認モードであって、少なくとも、前記識別子の有無に基づき前記表示部へ画像を表示して確認する確認モードを含む複数種類の確認モードを備え、当該確認モードに応じた所定の態様で、前記表示部における画像表示を行なう画像確認表示手段と
を備えることを要旨とする。
【０００９】
また、本発明の画像表示方法は、
画像を表示可能な表示部を有する画像表示装置の画像表示方法であって、
複数の画像データを入力し、
前記入力した画像データ毎に、写真画像として予め規定された条件で撮影された画像からの逸脱の程度を評価し、当該評価に基づいて、当該画像が印刷対象として相応しい推奨画像であるか否かを判別し、
前記判別の結果により推奨画像とされた画像を印刷対象に指定し、当該画像に対して印刷対象であることを示す識別子を設定し、
前記印刷対象に指定された画像を確認するための確認モードであって、少なくとも、前記識別子の有無に基づき前記表示部へ画像を表示して確認する確認モードを含む複数種類の確認モードを備え、当該確認モードに応じた所定の態様で、前記表示部における画像表示を行なう
ことを要旨としている。
【００１０】
本発明の画像表示装置および画像表示方法によれば、複数の画像の中から自動的に印刷対象としての画像を推奨して識別子を設定すると共に、複数種類の確認モードを利用して画像表示を行なう。確認モードには、識別子の有無に基づき画像を表示するモードを含む複数種類が存在する。つまり、複数種類の確認モードを利用して画像表示を行なうことで、ユーザは印刷対象として設定された画像を容易に確認することができる。したがって、ユーザの使用目的に応じたインタフェースを提供することができ、ユーザの印刷作業にかかる負荷を低減することができる。その結果、ユーザの利便性を向上することができる。
【００１１】
上記の構成を有する画像表示装置の画像確認表示手段は、前記複数種類の確認モードの一つとして、前記識別子を有する画像のみを前記表示部に表示するモードを備えるものとしても良い。
【００１２】
かかる画像表示装置によれば、識別子を有し印刷対象とされた画像の表示部上での確認作業を迅速に行なうことができる。つまり、一枚一枚画像を表示して、印刷対象とされた画像であるか否かの確認作業を行なう必要がない。したがって、ユーザの利便性を向上することができる。
【００１３】
上記の構成を有する画像表示装置において、前記入力する複数の画像データは、撮影日時の時系列順に並んでおり、前記画像確認表示手段は、前記時系列順で、前記識別子を有する一の画像から該識別子を有する次の画像までの間に、所定画像が存在する場合には、当該所定画像を飛ばして表示している旨を、該識別子を有する画像と共に表示する態様で、画像表示を行なうものとしても良い。こうすることで、印刷対象とされなかった画像の存在を容易に認識することができる。
【００１４】
上記の構成を有する画像表示装置において、前記複数の画像データは、所定の基準に従った順序で整列されており、前記画像確認表示手段は、前記整列順序における順方向と逆方向のいずれか一方向へ順次画像を表示する際には、前記識別子を有する画像のみの画像表示を行ない、他方向へ順次画像を表示する際には、該識別子とは無関係に該整列順序に従って全画像の画像表示を行なうものとしても良い。
【００１５】
かかる画像表示装置によれば、画像を順次表示する方向が、順方向か逆方向かにより、表示態様を切り換える。こうすることで、印刷対象のみの画像を迅速に確認することもできるし、印刷対象とされなかった画像の確認も行なうことができる。その結果、ユーザの使用目的に応じたインタフェースを提供することができる。
【００１６】
上記の構成を有する画像表示装置において、前記画像確認表示手段は、少なくとも２以上の操作ボタンを有し、当該一の操作ボタンの操作に前記識別子を有する画像のみを表示する第１の表示態様を割り当て、当該他の操作ボタンの操作に該識別子とは無関係な全画像を表示する第２の表示態様を割り当てるものとしても良い。こうした簡単なボタン操作により、印刷対象とされた画像および印刷対象とされなかった画像の確認を行なうことができる。
【００１７】
上記の構成を有する画像表示装置において、前記画像確認表示手段は、一の操作ボタンを有し、当該操作ボタンを長押しする操作に前記識別子を有する画像のみを表示する第１の表示態様を割り当て、当該操作ボタンを押下する通常の操作に該識別子とは無関係な全画像を表示する第２の表示態様を割り当てるものとしても良い。こうした一つの操作ボタンの操作の仕方によって、異なる画像表示を行なうことができ、ユーザの利便性を向上することができる。
【００１８】
上記の構成を有する画像表示装置の画像確認表示手段は、前記複数種類の確認モードから一の確認モードを選択する手段を備えるものとしても良い。複数種類の確認モードを選択肢として与え、一の確認モードを選択する構成とすることで、確認モードの設定が容易となり、ユーザの利便性を向上することができる。
【００１９】
上記の構成を有する画像表示装置の画像確認表示手段は、前記複数種類の確認モードの一つとして、前記識別子の無い画像のみを前記表示部に表示するモードを備えるものとしても良い。こうすることで、印刷対象とされなかった画像の内容を容易に認識することができる。また、印刷対象とされなかった画像の中から、印刷を所望する画像を見つけることができる。
【００２０】
上記の構成を有する画像表示装置の表示部は、２以上の所定枚数の画像を同時に表示可能であり、前記画像確認表示手段は、前記所定枚数の画像ごとに表示画面を切り換えて、前記複数の画像の表示を行なうものとしても良い。
【００２１】
かかる画像表示装置によれば、所定枚数毎に一の表示画面に表示を行なう。したがって、一枚ずつ画像を表示する場合に比べて、印刷対象の画像の確認を含めた全画像の確認作業を迅速に行なうことができる。
【００２２】
上記の構成を有する画像表示装置の画像確認表示手段は、前記表示画面上に表示された所定枚数の画像において、印刷に関する設定を行なうために一の画像を特定するカーソルを表示し、前記一の表示画面から次の表示画面に切り換わった時に、当該次の表示画面に表示されている画像の中の前記識別子を有する画像にカーソルを移動するものとしても良い。例えば、印刷対象として設定された画像の変更が無い場合には、カーソルが移動しているため、直ぐに印刷枚数の指定などの作業に取り掛かることができる。
【００２３】
上記の構成を有する画像表示装置の画像確認表示手段は、前記次の表示画面に表示されている画像の中に前記識別子を有する画像が存在しない場合には、予め設定した所定位置にカーソルを移動するものとしても良い。こうすることで、その表示画面内に、印刷対象となる画像が存在しないことを容易に認識することができる。
【００２４】
上記の構成を有する画像表示装置において、前記画像確認表示手段は、前記次の表示画面として表示すべき所定枚数の画像の中に、前記識別子を有する画像が存在しない場合には、当該所定枚数の画像を表示することなく、該識別子を有する画像が存在する表示画面を当該次の表示画像として表示するものとしても良い。
【００２５】
かかる画像表示装置によれば、一の表示画面に表示される所定枚数の画像の内、印刷対象となる画像が全くない表示画面をスキップする。したがって、印刷対象となる画像を中心としてそれ以外の画像の確認も行なうことができ、確認作業を迅速に行なうことができる。
【００２６】
上記の構成を有する画像表示装置において、前記推奨画像判別手段は、前記入力した画像データ間の類似の程度を評価し、当該評価に基づいて前記複数の画像データをグループ化し、当該グループ毎に前記推奨画像の判別を行なう手段であり、前記画像確認表示手段は、前記グループ化された一の類似グループに属する画像群を、一の表示画面上に表示するものとしても良い。こうすることで、グループ内に属する類似画像の確認を容易なものとすることができる。
【００２７】
上記の構成を有する画像表示装置の画像確認表示手段は、前記類似グループに属する画像の枚数に応じて画像の表示サイズを変更し、該類似グループに属する画像群を一の表示画面上に表示するものとしても良い。こうすることで、類似画像の確認が容易となる。
【００２８】
上記の構成を有する画像表示装置において、前記推奨画像判別手段は、前記入力した画像データ間の類似の程度を評価し、当該評価に基づいて前記複数の画像データをグループ化し、当該グループ毎に前記推奨画像の判別を行なう手段であり、前記画像確認表示手段は、前記所定枚数の画像ごとに表示画面に表示する場合であって、前記グループ化された一の類似グループに属する画像群が、一の表示画面と次の表示画面とにまたがって表示されるときには、当該一の類似グループに属する画像群を該次の表示画面にまとめて表示し、該一の表示画面には該所定枚数よりも少ない枚数の画像を表示するものとしても良い。
【００２９】
かかる画像表示装置によれば、類似グループに属する画像群が、一の表示画面と次の表示画面とにまたがって表示されることはない。したがって、類似画像の確認を容易なものとすることができる。
【００３０】
本発明の印刷装置は、上記のいずれかに記載の画像表示装置を備え、前記表示部における画像表示で確認した前記識別子を有する画像の印刷を実行するものとすることができる。
【００３１】
本発明の印刷装置によれば、複数の画像の中から自動的に印刷対象としての画像を推奨して識別子を設定すると共に、複数種類の確認モードを利用して画像表示を行なう。この画像表示により、ユーザは推奨画像を確認し、必要に応じて印刷対象の変更等を行ない、印刷の実行操作を行なうことができる。つまり、一枚一枚、画像を確認して印刷対象とするか否かの判断を行ない、印刷枚数等の印刷設定を行なう必要がない。したがって、ユーザの印刷作業にかかる負荷を低減することができ、利便性を向上することができる。
【発明を実施するための最良の形態】
【００３２】
以下、上述した本発明の作用・効果を一層明らかにするため、本発明の実施の形態を実施例に基づき次の順序で説明する。
Ａ．印刷装置の構成：
Ｂ．印刷処理：
Ｃ．推奨画像判別処理：
Ｄ．画像表示の具体的態様：
Ｅ．変形例：
【００３３】
Ａ．印刷装置の構成：
図１は、本発明の画像表示装置としての印刷装置１００の外観図である。印刷装置１００は、いわゆる複合機タイプの印刷装置であり、光学的に画像を読み込むスキャナ１１０や、画像データの記録されたメモリカードＭＣを挿入するためのメモリカードスロット１２０、デジタルスチルカメラ等の機器を接続するＵＳＢインタフェース１３０等を備えている。印刷装置１００は、スキャナ１１０によって取り込んだ画像や、メモリカードＭＣから読み取った画像、ＵＳＢインタフェース１３０を介してデジタルスチルカメラから読み取った画像を印刷用紙Ｐに印刷することができる。また、プリンタケーブル等によって接続された図示していないパーソナルコンピュータから入力した画像の印刷も行うことができる。
【００３４】
印刷装置１００は、印刷に関する種々の操作を行うための操作パネル１４０を備えている。操作パネル１４０の中央部には、液晶ディスプレイ１５０が備えられている。この液晶ディスプレイ１５０には、メモリカードＭＣやデジタルスチルカメラなどから読み取った画像や、印刷装置１００の各種機能を利用する際のメニュー画面が表示される。
【００３５】
図２は、印刷装置１００の内部構成を示す説明図である。図示するように、印刷装置１００は、印刷用紙Ｐに印刷を行う機構として、インクカートリッジ２１２を搭載したキャリッジ２１０、キャリッジ２１０を主走査方向に駆動するキャリッジモータ２２０、印刷用紙Ｐを副走査方向に搬送する紙送りモータ２３０等を備えている。
【００３６】
キャリッジ２１０は、シアン（Ｃ）、マゼンタ（Ｍ）、イエロ（Ｙ）、ブラック（Ｋ）、ライトシアン（Ｌｃ）、ライトマゼンタ（Ｌｍ）の色を現すインク毎に計６個のインクヘッド２１１を備えている。キャリッジ２１０には、これらのインクが収容されたインクカートリッジ２１２が装着されており、インクカートリッジ２１２からインクヘッド２１１に供給されたインクは、図示しないピエゾ素子を駆動することで印刷用紙Ｐに吐出される。
【００３７】
キャリッジ２１０は、プラテン２７０の軸方向と並行に設置された摺動軸２８０に移動自在に保持されている。キャリッジモータ２２０は、制御回路２５０からの指令に応じて駆動ベルト２６０を回転させることで、プラテン２７０の軸方向と平行に、すなわち、主走査方向にキャリッジ２１０を往復運動させる。
【００３８】
紙送りモータ２３０は、プラテン２７０を回転させることで、プラテン２７０の軸方向と垂直に印刷用紙Ｐを搬送する。つまり、紙送りモータ２３０は、キャリッジ２１０を相対的に副走査方向に移動させることができる。
【００３９】
印刷装置１００は、上述したインクヘッド２１１やキャリッジモータ２２０、紙送りモータ２３０の動作を制御するための制御回路２５０を備えている。制御回路２５０には、図１に示したスキャナ１１０やメモリカードスロット１２０、ＵＳＢインタフェース１３０、操作パネル１４０、液晶ディスプレイ１５０が接続されている。
【００４０】
制御回路２５０は、ＣＰＵ２５１とＲＯＭ２５２とメモリ２５３とＥＥＰＲＯＭ２５４とによって構成されている。ＲＯＭ２５２には、印刷装置１００の動作を全般的に制御するための制御プログラムが記憶されている。ＣＰＵ２５１は、かかる制御プログラムをメモリ２５３に展開して実行することで、液晶ディスプレイ１５０に対する表示制御や画像の印刷制御を行う。ＥＥＰＲＯＭ２５４には、ユーザから設定を受けた種々のパラメータが記憶される。本実施例のＣＰＵ２５１は、本願の「入力手段」、「推奨画像判別手段」、「印刷設定手段」、「画像確認表示手段」に相当する。
【００４１】
Ｂ．印刷処理：
図３は、ＣＰＵ２５１が制御プログラムを実行することによって実現される印刷処理ルーチンのフローチャートである。この印刷処理は、印刷装置１００側で印刷対象に適していると判断した画像を所定の態様で表示する画像表示処理を含み、表示された画像を確認したユーザの印刷指令を受けて印刷を実行する処理である。なお、以下の処理は、複数の画像ファイルを記憶したメモリカードＭＣが、メモリカードスロット１２０に挿入され、液晶ディスプレイ１５０上のメニュー画面から本印刷処理が選択された場合に実行される。
【００４２】
処理を開始すると、ＣＰＵ２５１は、メモリカードＭＣ内から複数の画像ファイルを入力する（ステップＳ３００）。本実施例で取り扱う画像ファイルは、Ｅｘｉｆ形式の画像ファイルである。Ｅｘｉｆ形式の画像ファイルは、画像データ（画像情報）と、撮影時の撮影条件などの各種パラメータ（付帯情報）とから構成されている。ＣＰＵ２５１は、入力した画像ファイルの画像データに対して、推奨画像判別処理を実行する（ステップＳ３１０）。
【００４３】
推奨画像判別処理は、画像の手ブレやピントのボヤケなど、予め規定された撮影条件での撮影画像からの逸脱の程度を評価し、逸脱の程度が大きいものを失敗画像として印刷対象から除き、残余の画像群から所定基準に基づいて印刷対象に相応しい画像を選択し、選択された画像に印刷対象であることを示す識別子を設定する処理である。つまり、自動的に推奨画像を判別して、印刷対象とする処理である。ＣＰＵ２５１は、メモリカードＭＣ内の全ての画像ファイルについて、推奨画像判別処理を実行し、印刷対象とする画像に識別子を設定する。こうして設定された識別子は、メモリ２５３に一時的に書き込まれている。なお、識別子の設定と共に、デフォルト値としてその画像の印刷枚数を１枚に設定している。この推奨画像判別処理については後述する。
【００４４】
続いて、ＣＰＵ２５１は、印刷対象としての識別子を設定された画像がユーザに分かるように画像表示を行なう（ステップＳ３２０）。具体的には、操作パネル１４０上の所定ボタンの操作を介して、ユーザの画像表示の指示を受け、指示された態様で画像の表示を行なう。例えば、所定のボタン操作で、識別子の設定された画像のみを順次、液晶ディスプレイ１５０上に表示し、また、別のボタン操作で、識別子の設定されていない画像のみを順次表示する。
【００４５】
以上の処理までを画像表示処理と呼び、本実施例では、こうした印刷対象の画像を確認するための表示態様（これを確認モードと呼ぶ）を複数種類備え、ユーザニーズに合わせて推奨画像の確認作業を行なうことができる。なお、具体的な表示態様については、後に詳しく説明する。
【００４６】
液晶ディスプレイ１５０上に表示された画像を確認したユーザは、印刷装置１００側で判定された画像をそのまま印刷対象とする操作、あるいは、印刷対象を変更する操作を行なう。ＣＰＵ２５１は、こうしたユーザ操作による印刷対象の選択、変更を受け付ける（ステップＳ３５０）。例えば、推奨画像判別処理で識別子を設定した画像に対し、ユーザが印刷対象から除外する操作を行なった場合には、その画像についての識別子の設定を解除している。また、識別子を有していない画像に対し、ユーザが印刷対象として指定する操作を行なった場合には、その画像について、新たに識別子の設定を行なっている。
【００４７】
ユーザによる印刷対象の確認作業が終了し、所定ボタンの操作による印刷の実行が指示されると、ＣＰＵ２５１は、識別子の設定された画像ファイルの画像データについて、印刷を実行する（ステップＳ３６０）。具体的には、ＣＰＵ２５１は、メモリ２５３内の識別子から印刷すべき画像ファイルを判断し、その画像データについて、色変換、ハーフトーンやインタレースなどの印刷データの生成に必要な処理を実行する。そして、生成された印刷データに基づいて、インクヘッド２１１、キャリッジモータ２２０や紙送りモータ２３０など、各種アクチュエータを駆動して印刷を実行している。こうして識別子の設定された画像ファイルについての印刷の実行後、メモリ２５３内の識別子をクリアして、一連の印刷処理を終了する。
【００４８】
以上、画像表示処理を含む一連の印刷処理によれば、複数の画像の中から自動的に印刷対象としての画像を推奨し、推奨画像が分かるように画像表示を行なう。この画像表示により、ユーザは推奨画像を確認し、必要に応じて印刷対象の変更等を行ない、印刷の実行操作を行なうことができる。こうした操作指示を受けて、複数の画像の中から所望する画像の印刷を行なう。つまり、一枚一枚、画像を確認して印刷対象とするか否かの判断を行ない、印刷枚数等の印刷設定を行なう必要がない。特に、液晶ディスプレイ１５０上で確認した推奨画像をそのまま印刷対象とすると決めた場合には、ユーザは何ら印刷設定を行なう必要がない。こうした処理により印刷を行なうことで、ユーザの印刷作業にかかる負荷を低減することができ、利便性を向上することができる。
【００４９】
なお、本実施例の印刷処理では、メモリカードＭＣ内の画像を入力対象としたが、印刷装置１００とデジタルスチルカメラとを直接、接続して、デジタルスチルカメラ内の画像を入力対象とする構成であっても良い。
【００５０】
Ｃ．推奨画像判別処理：
図４は、印刷処理におけるサブルーチンとしての推奨画像判別処理のフローチャートである。この処理は、図３に示した印刷処理で入力した画像ファイルについて、印刷対象として相応しい画像を推奨する処理である。
【００５１】
処理を開始すると、ＣＰＵ２５１は、入力した全画像について失敗画像であるか否かの判定を行ない、失敗画像であると判定された画像を除外する処理を行なう（ステップＳ４００）。具体的には、画像の手ブレ、ピントのボヤケ、露出不良、ノイズなど、撮影画像に関する所定項目についての評価を行ない、評価の低い画像を失敗画像として判定している。
【００５２】
例えば、手ブレについては、画像ファイル内の画像データを構成する各画像の輝度値を一次微分してエッジを抽出し、エッジの方向およびその方向へのエッジの幅を算出する。そして、その方向へのエッジの幅が所定の閾値以上であれば、手ブレがあると検出している。また、露出不良については、各画像の輝度値が一定値（例えば、２４０）以上、あるいは一定値（例えば、１６）以下となる領域を画像データから抽出し、その領域の画像全体の面積に占める割合が所定の閾値以上（例えば、４０％）であれば、その画像データの露出が不良であると検出している。なお、所定項目についての評価の際し、画像ファイル内の付帯情報を利用しても良い。付帯情報には、「撮影日時」，「ＩＳＯ感度」，「シャッタースピード」，「焦点距離」など、種々のパラメータや、サムネイル画像が含まれる。こうした付帯情報として、デジタルスチルカメラ内蔵のジャイロセンサによって検出された撮影時の角速度を「手ブレ情報」として備えておき、失敗画像の判定にこれを利用するものとすれば良い。こうすることで、失敗画像の判定処理の負荷を低減することができる。
【００５３】
続いて、ＣＰＵ２５１は、失敗画像と判定された画像を除いた残余の画像のうち、類似した画像をグループ化する処理を行なう（ステップＳ４１０）。
【００５４】
具体的には、残余の各画像について、画像データを構成する輝度値のヒストグラムを作成し、時系列で隣接する画像データ同士のヒストグラムを比較して、類似の判断を行なっている。メモリカードＭＣから入力して、失敗画像を除外した残余の各画像は、撮影日時を基準とする時系列順に並んでいる。このステップでは、隣接する画像間におけるヒストグラムの各階級の相対度数の差分を求め、全階級に亘る差分の和を類似度とし、類似度を所定閾値と比較して、類否の判断を行なっている。勿論、こうした類比の判断は、サムネイル画像を利用して行なうものとしても良い。なお、本実施例では、画像ファイルは時系列に並んでいるものとして説明を続けるが、これに限るものではない。例えば、複数の画像ファイルがファイル名を基準として並んでいる場合であっても良い。
【００５５】
こうして失敗画像を除外した残余の画像をグループ化した後、ＣＰＵ２５１は、各グループ内の画像に対して所定の評価を行なう（ステップＳ４２０）。具体的には、画像の構図、色合い、明るさ、シャープさなど、画像全体の見栄えを左右する項目について予め設定した評価値を用い、各画像について評価値に基づいて点数を付けている。
【００５６】
例えば、画像の構図であれば、画像データを解析して顔認識処理を行ない、顔の位置が、画像全体の端に位置する場合には低い点数を付け、中心に近い場合には高い点数を付ける。こうした点数の合計値により、グループ内の画像に対して順位付けを行なっている。なお、グループ化の結果、グループ内に１枚しか画像がない場合、つまり、類似画像がないものについては、こうした評価は行なわない。
【００５７】
続いて、ＣＰＵ２５１は、グループ内で最も高い評価（点数）である画像と、グループ化の結果、類似画像がないと判断された画像とを、印刷対象として相応しい推奨画像であると判断し、これらの画像に印刷対象であることを示す識別子を設定する（ステップＳ４３０）。具体的には、メモリ２５３内に、画像ファイルと対応付けてフラグ「１」を設定している。以下、この印刷対象の識別子を、印刷対象フラグと呼ぶ。
【００５８】
以上の推奨画像判別処理では、失敗画像を除いた画像を印刷対象として設定することを基本とし、その中で類似画像があるものに関しては、類似画像のグループ内で最も評価の高い画像を一枚選出し、これを印刷対象として設定している。ＣＰＵ２５１は、こうして幾つかの画像に対して印刷対象フラグを設定し、リターンに抜け、図３の印刷処理に戻る。
【００５９】
なお、ここでは、類似グループ内の画像についてのみ評価値を設定して、優劣を判断するものとしたが、入力した全画像に対して評価値を設定し、評価の高い画像を推奨画像とするものとしても良い。また、顔認識など、既存の人物認識技術を用いて、人物が写っている画像、あるいは、特定の人物が写っている画像を推奨画像としても良い。さらには、デジタルスチルカメラで画像を撮影した直後に、デジタルスチルカメラ側で画像に評価値を付けてＥｘｉｆ形式の付帯情報に書き込み、この情報を利用するものとしても良い。
【００６０】
こうした推奨画像判別処理により、大量の画像群の中から、印刷対象として相応しい画像を推奨し、自動的に印刷対象に設定することができる。したがって、ユーザの利便性を向上することができる。
【００６１】
Ｄ．画像表示の具体的態様：
上述の画像表示処理（図３）で説明したように、本実施例では、印刷対象の画像を確認するための確認モードを複数種類備えている。以下、この確認モードについて、具体的に説明する。
【００６２】
まず、具体的な表示態様の説明の前に、取り扱う画像について説明する。図５は、取り扱う画像について、推奨画像判別処理を実行した結果の一例を示している。図示するように、ここでは２５枚の画像を取り扱う。２５枚の画像は、推奨画像判別処理の結果に基づいて、印刷対象フラグ「１」が設定されているもの、手ブレ等を有する失敗画像とされたもの（ここでは「×」印で示す）、類似画像グループに設定されたものに分類されている。具体的には、画像１は失敗画像であり、画像２は印刷対象であり、画像３，画像４は類似画像グループである。なお、同じグループに設定された画像３，画像４のうち、画像３の方が評価が高いため、印刷対象に設定されているものとする。
【００６３】
こうした２５枚の画像において、通常の表示態様では、液晶ディスプレイ１５０に時系列順で画像が一枚ずつ表示される。通常の表示態様では、印刷対象フラグの有無とは無関係に、単に画像を表示する。一の表示画面から次の表示画面への変更は、以下の操作ボタンにより行なう。
【００６４】
図６は、操作パネル１４０上の一部に設けられた各種ボタンを示す説明図である。図示するように、操作パネル１４０上には、印刷の実行を指示する印刷ボタンＰＢ，印刷対象の変更の際に用いる選択／解除ボタンＣＢ，印刷枚数を増加させる印刷枚数増加ボタンＩＢ，印刷枚数を低減させる印刷枚数低減ボタンＤＢ，カーソル等の移動に用いる方向ボタンＣＵＲなど、複数のボタンが備えられている。
【００６５】
方向ボタンＣＵＲは、右ボタンＲＣＵ，左ボタンＬＣＵ，上ボタンＵＣＵ，下ボタンＤＣＵの４方向のボタンから構成されており、ユーザの右ボタンＲＣＵの操作で、時系列の順方向に画像の表示を切り換え、左ボタンＬＣＵの操作で、時系列の逆方向に画像の表示を切り換える。
【００６６】
図７は、画像表示の一態様を示す説明図である。図示するように、液晶ディスプレイ１５０上には、印刷対象フラグを有する画像のうち時系列順で最初の画像に当る画像２が表示されている。ここで、ユーザが右ボタンＲＣＵを操作すると、印刷対象フラグを有する画像のうち時系列順で次の画像に当る画像３が表示される。以下、同様に、右ボタンＲＣＵを操作すると、画像５，画像８，画像９・・と順次、印刷対象フラグを有する画像が表示される。つまり、この表示態様は、印刷対象の画像のみを表示する態様であり、印刷対象の画像までスキップして順次画像を表示する。なお、左ボタンＬＣＵを操作すると、画像９，画像８，画像５といった具合に、前の画像の表示に戻ることができる。
【００６７】
こうした印刷対象のみを表示する態様を備えることで、ユーザの使用目的に応じたインタフェースを提供することができる。例えば、印刷対象に設定された画像を簡単に確認して印刷を実行したいと考えている場合には、印刷対象のみを表示することによって、一連の印刷作業を簡素化することができる。つまり、一枚一枚、全部画像を確認する必要がない。
【００６８】
図８は、画像表示の一態様を示す説明図である。図示するように、液晶ディスプレイ１５０上には、印刷対象フラグを有しない画像のうち時系列順で最初の画像に当る画像１が表示されている。ここで、ユーザが右ボタンＲＣＵを操作すると、印刷対象フラグを有しない次の画像に当る画像４が表示される。以下、同様に、右ボタンＲＣＵの操作に伴って、画像６，画像７，画像１０・・と順次、印刷対象フラグを有しない画像が表示される。つまり、この表示態様は、非印刷対象の画像のみを表示する態様であり、非印刷対象の画像までスキップして順次画像を表示する。なお、左ボタンＬＣＵを操作すると、画像１０，画像７，画像６といった具合に、前の画像の表示に戻ることができる。
【００６９】
こうした非印刷対象のみを表示する態様を備えることで、非印刷対象の画像の中に印刷を所望する画像がないかを確認することができる。また、通常の表示態様を使えば、印刷対象の画像も確認することができる。
【００７０】
図９、図１０は、画像表示の一態様を示す説明図である。図９の表示態様は、図７の変形例であり、印刷対象の画像のみを表示する態様を基本としている。
【００７１】
まず、図９に示すように、液晶ディスプレイ１５０上には、印刷対象である画像５が表示され、右ボタンＲＣＵの操作により、印刷対象である画像８が表示される。この表示態様は、図７と同様である。
【００７２】
これに対し、図１０に示すように、左ボタンＬＣＵの操作を行なうと、印刷対象フラグの有無とは無関係に時系列に遡って、順次画像を表示する。例えば、印刷対象である画像８を表示した状態から左ボタンＬＣＵの操作を行なうと、印刷対象ではない画像７が表示される。このまま、左ボタンＬＣＵの操作を繰り返すと、画像６，画像５，画像４・・と時系列に遡って画像が表示される。つまり、右ボタンＲＣＵの操作で、時系列の順方向に印刷対象の画像のみを表示し、左ボタンＬＣＵの操作で時系列の逆方向に全画像を順次表示する。こうすることで、簡単な操作により表示態様を切り換え、画像を確認することができる。
【００７３】
図１１、図１２は、画像表示の一態様を示す説明図である。図１１の表示態様は、図９の変形例であり、印刷対象の画像のみを表示する態様を基本としている。
【００７４】
図１１の表示態様は、印刷対象のみを順次表示する。但し、図９とは異なり、印刷対象フラグを有する画像５の表示の際に、画像５の時系列順で後ろに、所定の画像が存在することを示す表示が行なわれる。この表示は、次に表示する画像は、所定枚数の画像をスキップして表示されることを示している。つまり、次に表示する画像は印刷対象フラグを有する画像８であるが、画像６，画像７をスキップして画像８を表示することを意味している。こうした表示態様により、印刷対象とされなかった画像の存在を容易に認識することができる。
【００７５】
こうした表示態様に対して、図１２の表示態様は、下ボタンＤＣＵの操作で、順次、全画像を表示する。つまり、図１０とは異なり、下ボタンＤＣＵの操作を繰り返すことで、時系列順に、全画像を確認することができる。図９〜図１２に示した表示態様では、方向ボタンＣＵＲの別々の方向に、それぞれ異なる表示態様を割り当てて構成されている。こうすることで、簡単な操作により画像の確認を行なうことができる。
【００７６】
図１３、図１４は、画像表示の一態様を示す説明図である。この表示態様も、基本的には、図９〜図１２と同様の表示態様であるが、操作方法が異なる。図１３に示すように、この表示態様では、右ボタンＲＣＵの長押し、あるいは、ダブルクリックにより、印刷対象の画像のみの表示を行なう。そして、図１４に示すように、右ボタンＲＣＵの通常の押下により、時系列順に、順次、全画像を表示することができる。この態様では、一つの操作ボタンの操作の仕方によって、異なる画像表示を行なうことができる。
【００７７】
以上に説明した種々の表示態様を選択肢として表示し、ユーザが一の表示態様を選択する構成を採っても良い。
【００７８】
図１５は、液晶ディスプレイ１５０上への画像表示に関するメニュー画面の一例である。このメニュー画面は、図示しない確認モードの選択ボタンを押下すると表示される画面であり、ユーザが予め設定する項目である。図示するように、「通常表示」，「印刷対象のみ表示」，「非印刷対象のみ表示」，「類似画像毎に表示」，「９枚表示」など、複数種類の画像の確認モードが表示される。ユーザが、方向ボタンＣＵＲを操作して一の確認モードを選択すると、その設定パラメータがＥＥＰＲＯＭ２５４に記憶される。以後、印刷処理の実行の際には、選択された確認モードでの画像表示が行なわれる。なお、確認モードのデフォルト値としては「通常表示」が設定されている。このモードは、液晶ディスプレイ１５０上に画像を一枚ずつ、順次、表示する態様である。
【００７９】
こうした確認モードは、印刷処理の途中であっても変更することができる。なお、本実施例では、メニュー画面の選択肢から一の確認モードを選択するが、例えば、所定ボタン操作の押下回数に応じて、順次、確認モードが切り換わるように設定するものとしても良い。
【００８０】
図１６は、画像表示の一態様を示す説明図である。この表示態様は、図１５に示したメニュー画面から「印刷対象のみ表示」の確認モードが選択された場合の一例である。印刷対象の画像のみを表示することについては図７に示した態様と同様であるが、図１６に示す態様では一度に複数（４枚）の画像を表示する。
【００８１】
図示するように、液晶ディスプレイ１５０上には、印刷対象フラグを有する画像のうち時系列順で４枚の画像に当る画像２，画像３，画像５，画像８が表示されている。ここで、右ボタンＲＣＵを操作すると、印刷対象フラグを有する画像のうち時系列順で次の４枚の画像に当る画像９，画像１２，画像１４，画像１５が表示される。なお、次の表示画面に移った際には、４枚の画像のうち時系列で最初の画像である画像９にカーソルが表示される。その後、右ボタンＲＣＵの操作に対応して、画像１２，画像１４，画像１５へ、順次、カーソルが移動する。複数枚の画像を一度に表示することで、一枚ずつの表示に比べて、印刷対象の画像の確認を迅速に行なうことができる。なお、「非印刷対象のみ表示」の確認モードが選択された場合も、同様の操作により、４枚ずつ画像が表示される。
【００８２】
こうした複数枚の画像を一度に表示する態様において、全画像を確認したい場合には、所定の確認モードを選択肢に用意し、表示態様を切り換えて使用すれば良い。例えば、図１５に示したメニュー画面の「通常表示」を選択すると、さらにサブメニューとして「一枚表示」，「複数表示」などの選択肢が表示され、「複数表示」を選択することで、全画像を複数表示で確認できる態様に切り換わるものとすれば良い。
【００８３】
図１７は、画像表示の一態様を示す説明図である。図示するように、複数枚（４枚）の画像を表示する態様であるため、液晶ディスプレイ１５０上には、印刷対象フラグとは無関係に、時系列順に画像９，画像１０，画像１１，画像１２などが表示されている。ここで、右ボタンＲＣＵを操作すると、時系列順に画像１３，画像１４，画像１５，画像１６が表示される。
【００８４】
この表示態様では、次の表示画像に移った際に表示される画像の中で、印刷対象フラグを有する画像の時系列で最初のもの（ここでは、画像１４）に、カーソルが移動する。こうすることで、印刷対象の変更が無い場合には直ぐに印刷枚数の指定などの作業に取り掛かることができる。
【００８５】
表示される４枚の画像の中に、印刷対象フラグを有する画像が無い場合には、所定のホームポジションとして、左上に表示される画像（例えば、画像２９）にカーソルが移動する。なお、表示される４枚の画像の中に、印刷対象フラグを有する画像が無い場合には、印刷対象フラグを有する画像が存在する表示画面までスキップするものとしても良い。こうした態様により、全画像の確認作業を迅速に行なうことができる。
【００８６】
図１８は、画像表示の一態様を示す説明図である。この表示態様は、図１５に示したメニュー画面から「類似画像毎に表示」の確認モードが選択された場合の一例である。図示するように、この表示態様では、類似画像グループに設定された画像群を、一の表示画面上で表示する。例えば、画像１２が表示されている状態から、右ボタンＲＣＵを操作すると、時系列で次の画像に当る画像１３は画像１４と共に類似画像グループを構成しているため、両画像をまとめて表示する。この際、画像の表示サイズは、類似画像グループ内の画像枚数に応じて変更される。こうすることで、類似画像の確認が容易となる。
【００８７】
図１９は、画像表示の一態様を示す説明図である。この表示態様も、「類似画像毎に表示」の確認モードが選択された場合の一例である。図示するように、この表示態様では、複数枚の画像表示として４枚ごとに画像を表示して行くが、類似画像グループを表示する際には、このグループに属する画像をまとめて表示する。例えば、４枚ごとの表示の場合、画像２１〜画像２４までが一の表示画面上に表示されることになるが、画像２３〜画像２５が一つの類似画像グループであるため、先の表示画面上には、画像２１と画像２２のみを表示する。そして、次の表示画面上に、画像２３〜画像２５を表示する。つまり、類似画像グループが存在する場合には、４枚ごとに表示する態様であっても、画像を詰めずに表示する。こうすることで、類似画像は、先に表示画面と次の表示画面とにまたがって表示されることがなく、類似画像の確認を容易なものとすることができる。
【００８８】
なお、画像を詰めずにブランクが形成される場合には、次の表示画面にも、まだ表示する画像があることを示す矢印のマークを表示する。こうすることで、漏れなく画像を確認することができる。
【００８９】
また、図２０に示すように、類似画像の範囲が分かる表示であれば、次の表示画面に移行しない態様であっても良い。例えば、図２０（ａ）に示すように、グループの区切りのラインを表示しても良いし、図２０（ｂ）に示すように、ライン表示に代えて、区切りを認識できる程度のスペースを空けて表示するものとしても良い。
【００９０】
以上、画像表示の具体的態様として説明したように、複数種類の確認モードを備えることで種々の態様で画像を表示できる。したがって、印刷対象の画像の確認などの作業が容易となり、画像の選択から印刷までにかかる作業時間を短縮することができる。特に、ユーザインタフェースとしてのディスプレイが小さく、表示能力に乏しい印刷装置においては、複数の画像モードを備えることで、印刷対象の画像の確認作業が極めて容易となり、ユーザの印刷作業の負荷を低減することができる。
【００９１】
Ｅ．変形例：
以上、本発明の種々の実施例について説明したが、本発明はこのような実施例に限定されず、その趣旨を逸脱しない範囲で種々の構成を採ることができることはいうまでもない。例えば、ソフトウェアによって実現した機能は、ハードウェアによって実現するものとしてもよい。そのほか、以下の変形が可能である。
【００９２】
本実施例では、液晶ディスプレイを備えた印刷装置を例に、本発明の画像表示装置として説明したが、例えば、デジタルスチルカメラやフォトビューワ等に本実施例の画像表示処理機能を備えて、本発明の画像表示装置とするものとしても良い。
【００９３】
この場合、デジタルスチルカメラやフォトビューワ等の機器に搭載されたＲＯＭに画像表示処理のプログラムを記憶し、これを各機器のＣＰＵで実行するものとすれば良い。
【００９４】
特に、デジタルスチルカメラ側で、推奨画像を判別し、印刷対象の識別子を設定する場合には、デジタルスチルカメラの操作ボタンを操作して、デジタルスチルカメラのディスプレイで、種々の確認モードにより印刷対象の確認を行ない、その後、印刷対象とされた画像ファイルに識別子を書き込むものとすれば良い。例えば、Ｅｘｉｆ形式の画像ファイルにおけるメーカノートなどのユーザが使用可能な領域に書き込むことができる。また、画像の印刷に関する所定フォーマットであるＤＰＯＦ形式を利用して、専用ファイルに書き込むものとしても良い。こうして画像の確認作業を経て、印刷対象の識別子を付され画像ファイルを入力したプリンタは、ＤＰＯＦ形式に従って印刷を実行する。この場合、本発明の画像表示装置としてのデジタルスチルカメラと、プリンタとを備えたシステムは、本発明の印刷装置に該当する。こうした構成であっても、印刷対象の画像の確認を容易に行なうことができ、ユーザの利便性を向上することができる。
【図面の簡単な説明】
【００９５】
【図１】本発明の画像表示装置としての印刷装置の外観図である。
【図２】印刷装置の内部構成を示す説明図である。
【図３】印刷処理ルーチンのフローチャートである。
【図４】推奨画像判別処理のフローチャートである。
【図５】推奨画像判別処理を実行した結果の一例を示す説明図である。
【図６】操作パネル上の一部に設けられた各種ボタンを示す説明図である。
【図７】画像表示の一態様を示す説明図である。
【図８】画像表示の一態様を示す説明図である。
【図９】画像表示の一態様を示す説明図である。
【図１０】画像表示の一態様を示す説明図である。
【図１１】画像表示の一態様を示す説明図である。
【図１２】画像表示の一態様を示す説明図である。
【図１３】画像表示の一態様を示す説明図である。
【図１４】画像表示の一態様を示す説明図である。
【図１５】画像表示に関するメニュー画面の一例を示す説明図である。
【図１６】画像表示の一態様を示す説明図である。
【図１７】画像表示の一態様を示す説明図である。
【図１８】画像表示の一態様を示す説明図である。
【図１９】画像表示の一態様を示す説明図である。
【図２０】画像表示の一態様を示す説明図である。
【符号の説明】
【００９６】
１００…印刷装置
１１０…スキャナ
１２０…メモリカードスロット
１４０…操作パネル
１５０…液晶ディスプレイ
２１０…キャリッジ
２１１…インクヘッド
２１２…インクカートリッジ
２２０…キャリッジモータ
２３０…紙送りモータ
２５０…制御回路
２５１…ＣＰＵ
２５２…ＲＯＭ
２５３…メモリ
２５４…ＥＥＰＲＯＭ
２６０…駆動ベルト
２７０…プラテン
２８０…摺動軸
ＰＢ…印刷ボタン
ＣＢ…選択／解除ボタン
ＩＢ…印刷枚数増加ボタン
ＤＢ…印刷枚数低減ボタン
ＣＵＲ…方向ボタン
ＲＣＵ…右ボタン
ＬＣＵ…左ボタン
ＵＣＵ…上ボタン
ＤＣＵ…下ボタン
【図１】
2007164249.tif 000003
【図２】
2007164249.tif 000004
【図３】
2007164249.tif 000005
【図４】
2007164249.tif 000006
【図５】
2007164249.tif 000007
【図６】
2007164249.tif 000008
【図７】
2007164249.tif 000009
【図８】
2007164249.tif 000010
【図９】
2007164249.tif 000011
【図１０】
2007164249.tif 000012
【図１１】
2007164249.tif 000013
【図１２】
2007164249.tif 000014
【図１３】
2007164249.tif 000015
【図１４】
2007164249.tif 000016
【図１５】
2007164249.tif 000017
【図１６】
2007164249.tif 000018
【図１７】
2007164249.tif 000019
【図１８】
2007164249.tif 000020
【図１９】
2007164249.tif 000021
【図２０】
2007164249.tif 000022